(57)【要約】【課題】フローリング等の傷付きを防止できる床用吸込具を提供することを課題とする。【解決手段】下面に吸込口８を有し、内部に吸気流路を有する吸込具本体４と、前記吸込口８に臨ませて配設された回転ブラシ１０と、前記吸込具本体４に回動自在に接続された継手管５とを備え、前記吸込具本体４とは別体のカバー部材２０、２７を設け、前記カバー部材２０、２７の底面に形成された凹部２４に植毛部材２５を装着し、前記カバー部材２０，２７を前記吸込具本体４の下部に取り付け、前記カバー２０、２７により前記回転ブラシ１０を支持したことを特徴とする床用吸込具。【選択図】  図２
2006280972.tif 000002
【特許請求の範囲】
【請求項１】
下面に吸込口を有し、内部に吸気流路を有する吸込具本体と、前記吸込口に臨ませて配設された回転ブラシと、前記吸込具本体に回動自在に接続された継手管とを備え、
前記吸込具本体とは別体のカバー部材を設け、
前記カバー部材の底面に形成された凹部に植毛部材を装着し、
前記カバー部材を前記吸込具本体の下部に取り付け、
前記カバーにより前記回転ブラシを支持したことを特徴とする床用吸込具。
【請求項２】
下面に吸込口を有し、内部に吸気流路を有する吸込具本体と、前記吸込口に臨ませて配設された回転ブラシと、前記吸込具本体に回動自在に接続された継手管とを備え、
前記吸込具本体とは別体のカバー部材を設け、
前記カバー部材の底面に形成された凹部に植毛部材を装着し、
前記カバー部材は、クランプにより前記吸込具本体の下部に着脱自在に取り付けられ、
前記カバーにより前記回転ブラシを支持したことを特徴とする床用吸込具。
【請求項３】
下面に吸込口を有し、内部に吸気流路を有する吸込具本体と、前記吸込口に臨ませて配設された回転ブラシと、前記回転ブラシの一側の軸支部に架設されたベルトと、前記吸込具本体に内蔵され、前記ベルトの架設により前記回転ブラシを回転させる電動機と、前記吸込具本体に回動自在に接続された継手管とを備え、
前記吸込具本体とは別体のカバー部材を設け、
前記カバー部材の底面に形成された凹部に植毛部材を装着し、
前記カバー部材を前記吸込具本体の下部に取り付け、
前記カバーにより前記回転ブラシを支持したことを特徴とする床用吸込具。
【請求項４】
上ケースと下ケースとからなる吸込具本体と、該吸込具本体の下面に形成された吸込口と、前記吸込具本体内に形成された吸気流路と、前記吸込口に臨ませて配設された回転ブラシと、前記上ケース及び前記下ケースにて狭持されたバンパーと、前記吸込具本体に回動自在に接続された継手管と、前記吸込具本体後部に配設された車輪とを備え、
前記吸込具本体とは別体に２つのカバー部材を設け、
前記カバー部材の底面に形成された凹部に植毛部材を装着し、
前記カバー部材を前記吸込具本体の両側前方下部に取り付けたことを特徴とする床用吸込具。
【発明の詳細な説明】
【技術分野】
【０００１】
本発明は、電気掃除機に使用される床用吸込具に関する。
【背景技術】
【０００２】
従来、電気掃除機に使用される床用吸込具は、前後方向への移動性を考慮して底面に車輪が配設されているが、フローリングを掃除する際、フローリングに砂などが落ちていた場合、車輪とフローリングとの間に砂などを噛み込み、特に、床用吸込具を横方向に移動させる際に、砂などによりフローリングを傷つける問題が生じていた。
【０００３】
この欠点を解決するため、例えば実開昭６１−７７９３６号公報（A47L  9／02）等に開示されるごとく、吸込具本体の底面にフェルトや植毛部材を貼着することが考えられる。
【特許文献１】実開昭６１−７７９３６号公報
【発明の開示】
【発明が解決しようとする課題】
【０００４】
本発明は、上記欠点に鑑みなされたもので、フローリング等の傷付きを防止できる床用吸込具を提供することを課題とする。
【課題を解決するための手段】
【０００５】
本発明は、下面に吸込口を有し、内部に吸気流路を有する吸込具本体と、前記吸込口に臨ませて配設された回転ブラシと、前記吸込具本体に回動自在に接続された継手管とを備え、前記吸込具本体とは別体のカバー部材を設け、前記カバー部材の底面に形成された凹部に植毛部材を装着し、前記カバー部材を前記吸込具本体の下部に取り付け、前記カバーにより前記回転ブラシを支持したことを特徴とする。
【０００６】
また、下面に吸込口を有し、内部に吸気流路を有する吸込具本体と、前記吸込口に臨ませて配設された回転ブラシと、前記吸込具本体に回動自在に接続された継手管とを備え、前記吸込具本体とは別体のカバー部材を設け、前記カバー部材の底面に形成された凹部に植毛部材を装着し、前記カバー部材は、クランプにより前記吸込具本体の下部に着脱自在に取り付けられ、前記カバーにより前記回転ブラシを支持したことを特徴とする。
【０００７】
また、下面に吸込口を有し、内部に吸気流路を有する吸込具本体と、前記吸込口に臨ませて配設された回転ブラシと、前記回転ブラシの一側の軸支部に架設されたベルトと、前記吸込具本体に内蔵され、前記ベルトの架設により前記回転ブラシを回転させる電動機と、前記吸込具本体に回動自在に接続された継手管とを備え、前記吸込具本体とは別体のカバー部材を設け、前記カバー部材の底面に形成された凹部に植毛部材を装着し、前記カバー部材を前記吸込具本体の下部に取り付け、前記カバーにより前記回転ブラシを支持したことを特徴とする。
【０００８】
また、上ケースと下ケースとからなる吸込具本体と、該吸込具本体の下面に形成された吸込口と、前記吸込具本体内に形成された吸気流路と、前記吸込口に臨ませて配設された回転ブラシと、前記上ケース及び前記下ケースにて狭持されたバンパーと、前記吸込具本体に回動自在に接続された継手管と、前記吸込具本体後部に配設された車輪とを備え、前記吸込具本体とは別体に２つのカバー部材を設け、前記カバー部材の底面から前面にわたって形成された凹部に植毛部材を装着し、前記カバー部材を前記吸込具本体の両側前方下部に取り付けたことを特徴とする。
【発明の効果】
【０００９】
本発明の請求項１によると、植毛部材は、吸込具本体と別体のカバー部材に装着されるので、植毛部材の接着工程における輸送費等を抑えることができ、コストを低減できる。また、カバー部材にて回転ブラシを支持しているため、回転ブラシに糸くず等が絡まった場合、カバー部材を取り外すことで容易に回転ブラシを取り外してメンテナンスを行うことができ、使用性を向上させることができる。
【００１０】
本発明の請求項２によると、植毛部材は、吸込具本体と別体のカバー部材に装着されるので、植毛部材の接着工程における輸送費等を抑えることができ、コストを低減できる。また、カバー部材にて回転ブラシを支持しているため、回転ブラシに糸くず等が絡まった場合、カバー部材を取り外すことで容易に回転ブラシを取り外してメンテナンスを行うことができ、使用性を向上させることができる。
【００１１】
本発明の請求項３によると、植毛部材は、吸込具本体と別体のカバー部材に装着されるので、植毛部材の接着工程における輸送費等を抑えることができ、コストを低減できる。また、カバー部材にて回転ブラシを支持しているため、回転ブラシに糸くず等が絡まった場合、カバー部材を取り外すことで容易に回転ブラシを取り外してメンテナンスを行うことができ、使用性を向上させることができる。
【００１２】
本発明の請求項４によると、植毛部材は、吸込具本体と別体のカバー部材に装着されるので、植毛部材の接着工程における輸送費等を抑えることができ、コストを低減できる。
【発明を実施するための最良の形態】
【００１３】
本発明の実施の形態を図面に基づいて以下に詳述する。
【００１４】
１は床用吸込具で、上ケース２、下ケース３からなる吸込具本体４と、前記吸込具本体４後部に、上下ケース２、３により挟持され、吸込具本体１に対して左右方向に回転自在な継手管５と、該継手管５に接続され、吸込具本体１に対して上下方向に回動自在な接続管６とから構成されている。
【００１５】
７は前記吸込具本体４の後部中央に配設された補助車輪で、掃除中、床用吸込具を前後移動させる際に、最も力が加わる位置に該補助車輪７を配設することにより、床用吸込具の移動性を向上するようになっている。
【００１６】
８は前記吸込具本体４前方下面に形成される吸込口、９は前記吸込口８に連通して吸込具本体４内に形成される回転ブラシ収納室（吸気流路）、１０は前記回転ブラシ収納室９に回転自在に収納される回転ブラシで、該回転ブラシ１０の一側の軸支部１１に図示しないベルトを架設することにより、前記吸込具本体４に内蔵された図示しない電動機にて回転駆動されるようになっている。
【００１７】
１２は前記吸込具本体４の回転ブラシ収納室９前壁を構成する下ケース３前部に形成された切欠部で、該切欠部１２は、前記吸込具本体４の略全幅にわたって形成されている。
【００１８】
１３は前記吸込口８の後部に、吸込口８の略全幅にわたって配設されたサクションキーパーとなるブラシ体で、前記吸込口８の後方からの空気漏れを防止して、吸込力の低下を防止するようになっている。
【００１９】
１４は前記吸込具本体４の前面及び両側面にわたって配設される弾性材製のバンパーで、上部に前記上下ケース２、３にて挟持される取付片１５を一体形成するとともに、該取付片１５に係合穴１６を形成しており、前記取付片１５を、前記上ケース２及び下ケース３にて挟持させるとともに、取付片１５の係合穴１６を介して、上下ケース２、３に各々形成した係合リブ１７、係合爪１８を係合させることにより取付けられるようになっている。
【００２０】
１９は前記バンパー１４の、吸込具本体４前部の切欠部１２に対応する位置に一体形成されたフラップ部で、前記切欠部１２を覆うことにより、床面の掃除状態における吸込具本体４前方からの空気の漏れを防止して吸込力を維持するとともに、吸込具本体４を壁や家具等に当接させた際に、前記バンパー１４が弾性変形することにより該フラップ部１９が若干内側に変形し、回転ブラシ１０先端がより壁際まで届くようになり、壁際の塵埃を効率よく除去できるようになっている。
【００２１】
２０は前記吸込具本体４底面の吸込口８一側部に、前記回転ブラシ１０の軸支部１１を覆う状態に配設され、前記回転ブラシ１０を支持する第１カバー部材で、前端部に前記下ケース３に係合する係合部２１を形成するとともに、後端部側面に係合穴２２を形成しており、前記第１カバー部材２０の係合部２１を下ケース３に係合させるとともに、前記吸込具本体４に形成されたクランプ（摺動部材）２３を摺動させることにより、該第１カバー部材２０を前記下ケース３に固定されるようになっている。
【００２２】
２４は前記第１カバー部材２０の前部に、底面から前面にわたって形成された凹部で、該凹部２４に植毛部材２５を貼着するようになっており、該植毛部材２５により、吸込具本体４の移動性を向上できるようになっている。
【００２３】
前記第１カバー部材２０は、前記下ケース３に取付けた状態で、前記バンパー１４が凹部２４の上端に重合するようになっており、したがってバンパー１４下端と植毛部材２５上端が重合して（図６中、重合部２６）、掃除中の吸込具本体４の前後移動により植毛部材２５がはがれるのを防止できるようになっている。
【００２４】
２７は前記吸込具本体４底面の吸込口８他側部に、前記回転ブラシ９の軸支部１１を覆う状態に配設され、前記回転ブラシ１０を支持する第２カバー部材で、該第２カバー部材２７に形成された取付穴２８を介して、前記吸込具本体４にネジ止めされるようになっている。
【００２５】
２９は前記第２カバー部材２８に、吸込具本体４底面から前面にわたって形成された凹部で、該凹部２９に植毛部材３０を貼着するようになっており、該植毛部材３０により、吸込具本体４の移動性を向上できるようになっている。
【００２６】
前記第２カバー部材２８も、上述の第１カバー部材２０と同様に、前記下ケース３に取付けた状態で、前記バンパー１４が凹部２９の上端に重合するようになっており、したがってバンパー１４下端と植毛部材３０上端が重合して（図８中、重合部３１）、掃除中の吸込具本体４の前後移動により植毛部材３０がはがれるのを防止できるようになっている。
【００２７】
上記構成によると、吸込具本体４の両側前方下部に各々植毛部材２５、３０を配設することにより、吸込具本体４の移動性を確保できるとともに、フローリングを掃除する際、フローリングに砂などが落ちていた場合でも、起毛布により砂を捕捉するため、特に、床用吸込具を横方向に移動させる際に、砂などによりフローリングを傷つけるのを防止できる。
【００２８】
また、植毛部材２５、３０の上端部には、バンパー１４が重合するようになっているため、吸込具本体４の前後移動を繰り返しても、植毛部材２５、３０をはがれにくくすることができる。
【００２９】
さらに、第１、第２カバー部材２０、２７に、植毛部材２５、３０を貼着する凹部２４、２９を形成することにより、第１、第２カバー部材２０、２７の強度を向上できる。
【００３０】
また、植毛部材２５、３０は、各々吸込具本体４と別体の第１、第２カバー部材２０、２７に貼着されるようになっているため、植毛部材２５、３０の接着工程における輸送費等を抑えることができ、コストを低減できる。
【００３１】
さらに、下ケース３に着脱自在に取付けられる第1、第2カバー２０、２７にて回転ブラシ１０を支持しているため、回転ブラシ１０に糸くず等が絡まった場合など、第1、第2カバー２０、２７を取り外すことで容易に回転ブラシ１０を取り外してメンテナンスを行うことができ、使用性を向上することができる。
【図面の簡単な説明】
【００３２】
【図１】本発明の床用吸込具の斜視図である。
【図２】同底面図である。
【図３】同上面図である。
【図４】同中央部の断面図である。
【図５】同吸込具本体の一側部における断面図である。
【図６】同図５における要部拡大断面図である。
【図７】同吸込具本体の他側部における断面図である。
【図８】同図７における要部拡大断面図である。
【図９】同床用吸込具の後面図である。
【図１０】同床用吸込具の横断面図である。
【図１１】同第１カバー部材の斜視図である。
【図１２】同第２カバー部材の斜視図である。
【符号の説明】
【００３３】
４          吸込具本体
５          継手管
８          吸込口
９          回転ブラシ収納室（吸気流路）
１４          バンパー
１９          フラップ部
２０          第１カバー
２４          凹部
２５          植毛部材
２７          第２カバー
２９          凹部
３０          植毛部材
【図１】
2006280972.tif 000003
【図２】
2006280972.tif 000004
【図３】
2006280972.tif 000005
【図４】
2006280972.tif 000006
【図５】
2006280972.tif 000007
【図６】
2006280972.tif 000008
【図７】
2006280972.tif 000009
【図８】
2006280972.tif 000010
【図９】
2006280972.tif 000011
【図１０】
2006280972.tif 000012
【図１１】
2006280972.tif 000013
【図１２】
2006280972.tif 000014